(57)【要約】【課題】人為的に袋を密閉しないために現金相違の危険性を削減できる硬貨計数機及び硬貨の包装方法を提供する。【解決手段】硬貨計数機は、硬貨排出口４０と、硬貨排出口４０に装着されて硬貨が収納される硬貨収納袋７０を保持するクランプアーム部４１と、硬貨収納袋７０を挟持するとともに熱溶着によって密封するヒータアーム部５０とを備え、硬貨収納袋７０は、開口部の縁部に設けられた筒状部７３を有し、クランプアーム部４１は、硬貨収納袋７０を保持するときに筒状部７３を保持する第１、第２クランプシャフト４２ａ，４２ｂを有し、第１，第２クランプシャフト４２ａ，４２ｂは、筒状部７３を第１，第２クランプシャフト４２ａ，４２ｂに保持させる保持開始位置と、硬貨収納袋７０を硬貨排出口４０に装着する装着位置とに移動する。【選択図】図１８
2019159640.tif 000002
【特許請求の範囲】
【請求項１】
硬貨を入金する入金部と、
前記入金部から入金された硬貨を計数する硬貨計数部と、
前記硬貨計数部で計数された硬貨を排出する硬貨排出口と、
前記硬貨排出口に装着されて硬貨が収納される硬貨収納袋を保持する袋保持部と、
前記硬貨収納袋を挟持するとともに熱溶着によって密封する熱溶着部と
を備え、
前記硬貨収納袋は、収納袋開口部の縁部に設けられた被保持部を有し、
前記袋保持部は、前記硬貨収納袋を保持するときに前記被保持部を保持する保持部材を有し、
前記保持部材は、前記被保持部を前記保持部材に保持させる保持開始位置と、前記硬貨収納袋を前記硬貨排出口に装着する装着位置とに移動する硬貨計数機。
【請求項２】
前記熱溶着部は、
回動可能に設けられる一対のアーム部と、
前記一対のアーム部のそれぞれに取り付けられるとともに、前記一対のアーム部に連動する一対のヒータと
を備え、
前記一対のアーム部が回動し、前記一対のヒータが前記硬貨収納袋を挟持して熱溶着するときに、前記保持部材は前記保持開始位置にある請求項１に記載の硬貨計数機。
【請求項３】
前記被保持部は筒状形状を有し、
前記保持部材は棒状形状を有し、前記硬貨収納袋を保持するときに前記被保持部に挿入される請求項１又は２に記載の硬貨計数機。
【請求項４】
前記硬貨収納袋に印字するインクジェットプリンタを備える請求項１又は２に記載の硬貨計数機。
【請求項５】
ラベルに印字し前記硬貨収納袋に貼付するラベルプリンタを備える請求項１又は２に記載の硬貨計数機。
【請求項６】
硬貨計数機に入金された硬貨を計数し、
計数された硬貨を、熱溶着性を有する樹脂材料で形成される硬貨収納袋に収納し、
前記硬貨収納袋に計数された硬貨を収納し、
前記硬貨収納袋に印加されている張力を緩めるとともに前記硬貨収納袋を熱溶着によって密閉する硬貨計数機に入金された硬貨の包装方法。
【発明の詳細な説明】
【技術分野】
【０００１】
この発明は、計測した硬貨を包装する硬貨計数機及び硬貨の包装方法に関する。
【背景技術】
【０００２】
硬貨を計数した後に貯留する機械として一般的に、特許文献１に示すような硬貨計数機
が知られている。特許文献１の硬貨計数機では、円筒形状のホッパ部に硬貨が投入され、
硬貨計数通路に硬貨が送り出される。そして、硬貨は硬貨計数通路を搬送ベルトによって
搬送され、シュート部へ送り込まれ、シュート部の下に取り付けられた箱に貯留される。
【先行技術文献】
【特許文献】
【０００３】
【特許文献１】特開２０１７−５９１４５号公報
【発明の概要】
【発明が解決しようとする課題】
【０００４】
特許文献１に示すような従来の硬貨計数機には、硬貨選別入金部と硬貨一括入金部が有り、硬貨一括入金部に硬貨金庫等を設置し、又は硬貨排出部に麻袋を装着して計数終了後に計測者が袋を密閉していた。
【０００５】
しかし、麻袋を使用した場合には計測者が袋を密閉するために、硬貨の計数時と収納時では現金が相違するといういわゆる現金相違の危険性が高まってしまうという問題があった。
【０００６】
この発明は、このような問題を解決するためになされ、人為的に袋を密閉しないために現金相違の危険性を削減できる硬貨計数機及び硬貨の包装方法を提供することを目的とする。
【課題を解決するための手段】
【０００７】
上記の課題を解決するために、この発明に係る硬貨計数機は、硬貨を入金する入金部と、入金部から入金された硬貨を計数する硬貨計数部と、硬貨計数部で計数された硬貨を排出する硬貨排出口と、硬貨排出口に装着されて硬貨が収納される硬貨収納袋を保持する袋保持部と、硬貨収納袋を挟持するとともに熱溶着によって密封する熱溶着部とを備え、硬貨収納袋は、収納袋開口部の縁部に設けられた被保持部を有し、袋保持部は、硬貨収納袋を保持するときに被保持部を保持する保持部材を有し、保持部材は、被保持部を保持部材に保持させる保持開始位置と、硬貨収納袋を硬貨排出口に装着する装着位置とに移動する。
【０００８】
熱溶着部は、回動可能に設けられる一対のアーム部と、一対のアーム部のそれぞれに取り付けられるとともに、一対のアーム部に連動する一対のヒータとを備え、一対のアーム部が回動し、一対のヒータが硬貨収納袋を挟持して熱溶着するときに、保持部材は保持開始位置にあってもよい。
被保持部は筒状形状を有し、保持部材は棒状形状を有し、硬貨収納袋を保持するときに被保持部に挿入されてもよい。
硬貨収納袋に印字するインクジェットプリンタを備えてもよい。
ラベルに印字し硬貨収納袋に貼付するラベルプリンタを備えてもよい。
【０００９】
また、この発明に係る硬貨計数機に入金された硬貨の包装方法は、硬貨計数機に入金された硬貨を計数し、計数された硬貨を、熱溶着性を有する樹脂材料で形成される硬貨収納袋に収納し、硬貨収納袋に計数された硬貨を収納し、硬貨収納袋に印加されている張力を緩めるとともに硬貨収納袋を熱溶着によって密閉する。
【発明の効果】
【００１０】
この発明に係る硬貨計数機によれば、硬貨収納袋は、収納袋開口部の縁部に設けられた被保持部を有し、袋保持部は、硬貨収納袋を保持するときに被保持部を保持する保持部材を有し、保持部材は、被保持部を保持部材に保持させる保持開始位置と、硬貨収納袋を硬貨排出口に装着する装着位置とに移動するので、人為的に袋を密閉しないために現金相違の危険性を削減することができる。
【図面の簡単な説明】
【００１１】
【図１】本発明の実施の形態１に係る硬貨計数機を示す斜視図である。
【図２】図１における硬貨計数機の前扉が開かれた状態を示す斜視図である。
【図３】図２における硬貨計数機のインクジェットプリンタを引き出した状態を示す斜視図である。
【図４】図１における硬貨計数機の前扉が開かれた状態を示す正面図である。
【図５】図１における硬貨計数機の下方からの斜視図である。
【図６】図６における硬貨計数機のクランプシャフトの回動状態を示す斜視図である。
【図７】図１における硬貨計数機の硬貨計数機の前扉が開かれた状態を示す右側面図である。
【図８】図１における硬貨計数機の硬貨計数機の前扉が閉じられた状態を示す右側面図である。
【図９】図７におけるパック押え部を示す拡大図である。
【図１０】図８におけるパック押え部を示す拡大図である。
【図１１】本発明の実施の形態１に係る硬貨収納袋を示す正面図、側面図、斜視図である。
【図１２】本発明の実施の形態１に係る硬貨計数機の動作の硬貨収納袋をセットした状態を示す図である。
【図１３】本発明の実施の形態１に係る硬貨計数機のパック押え部が降下した状態を示す図である。
【図１４】本発明の実施の形態１に係る硬貨計数機のクランプアームの回動状態を示す図である。
【図１５】図１３に示すクランプアームの状態を示す拡大図である。
【図１６】図１５に示すクランプアームの回動状態を示す拡大図である。
【図１７】本発明の実施の形態１に係る硬貨計数機のクランプアームの回動完了を示す図である。
【図１８】本発明の実施の形態１に係る硬貨計数機の硬貨計数状態を示す図である。
【図１９】本発明の実施の形態１に係る硬貨計数機の硬貨計数完了状態を示す図である。
【図２０】本発明の実施の形態１に係る硬貨収納機のヒータアームの回動状態を示す図である。
【図２１】本発明の実施の形態１に係る硬貨収納機の溶着中の状態を示す図である。
【図２２】本発明の実施の形態１に係る硬貨収納機のヒータアームを戻す動作を示す図である。
【図２３】本発明の実施の形態１に係る硬貨収納機の印字動作を示す図である。
【図２４】本発明の実施の形態１に係る硬貨収納機の動作完了状態を示す図である。
【図２５】本発明の実施の形態１に係る硬貨収納後の硬貨収納袋を示す正面図、側面図、である。
【図２６】本発明の実施の形態２に係る硬貨計数機の前扉が開かれた状態を示す正面図である。
【図２７】本発明の実施の形態２に係る硬貨計数機の動作の初期状態を示す図である。
【図２８】本発明の実施の形態２に係る硬貨計数機のクランプアームの回動状態を示す図である。
【図２９】本発明の実施の形態２に係る硬貨計数機のクランプアームの回動完了を示す図である。
【図３０】本発明の実施の形態２に係る硬貨計数機の硬貨計数状態を示す図である。
【図３１】本発明の実施の形態２に係る硬貨計数機の硬貨計数完了状態を示す図である。
【図３２】本発明の実施の形態２に係る硬貨収納機のヒータアームの回動状態を示す図である。
【図３３】本発明の実施の形態２に係る硬貨収納機の溶着中の状態を示す図である。
【図３４】本発明の実施の形態２に係る硬貨収納機のヒータアームを戻す動作を示す図である。
【図３５】本発明の実施の形態２に係る硬貨収納機のテープ印字動作を示す図である。
【図３６】本発明の実施の形態２に係る硬貨収納機のテープ貼付動作を示す図である。
【図３７】本発明の実施の形態２に係る硬貨収納機の硬貨計数完了状態を示す図である。
【図３８】本発明の硬貨収納袋の第１の変形例を示す正面図、側面図、斜視図である。
【図３９】本発明の硬貨収納袋の第２の変形例を示す正面図、側面図である。
【図４０】図３９に示す硬貨収納袋の硬貨収納後の正面図、側面図である。
【図４１】本発明の前扉の変形例を示す図である。
【発明を実施するための形態】
【００１２】
以下、この発明の硬貨計数機及び硬貨の包装方法の実施の形態について添付図面に基づいて説明する。
【００１３】
実施の形態１． 
図１は、この発明の実施の形態１に係る硬貨計数機１００の構成図を示す。
硬貨計数機１００は、硬貨計数機本体１０を有している。硬貨計数機本体１０の上面には、硬貨計数機本体１０の操作及び動作状況の確認を行うためのタッチパネル式のモニタ１１と、硬貨計数機本体１０の各種操作を行うための操作キーが設けられた操作部１２と、硬貨を入金するための入金部１３が設けられている。入金部１３の下方には、硬貨計数機本体１０の筐体内部に硬貨計数部１４が設けられている。また、硬貨計数機本体１０の筐体内部には図示しない制御部が設けられており、硬貨計数機１００のモニタ１１、入金部１３、硬貨計数部１４、後述するインクジェットプリンタ３０、クランプアーム部４１及びヒータアーム部５０の動作を制御する。
【００１４】
硬貨計数機本体１０の前面には、損傷等により硬貨計数部１４が正常な硬貨と認識できない硬貨、誤投入された外国硬貨及びメダル等の係数対象とならないものを返却するリジェクトボックス１５が設けられている。
【００１５】
また、硬貨計数機本体１０の前面には、前扉２１で覆われた硬貨パック部２０が設けられている。硬貨パック部２０において、硬貨収納袋に硬貨計数部１４において計数された硬貨が収納される。
【００１６】
図２に、前扉２１を開いた状態の硬貨計数機１００を示す。硬貨パック部２０には、硬貨収納袋に硬貨を収納するときに使用される通路形状に区画された細長空間であるパッキングエリア２２が設けられている。パッキングエリア２２に隣接して、硬貨収納袋に印字をするインクジェットプリンタ３０が設けられている。インクジェットプリンタ３０は、図３に示すように前扉２１側に引き出され、インクの補充等の整備作業を行うことができるように構成されている。
【００１７】
図４は、図２に示す硬貨計数機１００の正面図である。硬貨パック部２０に対して左上に、硬貨計数部１４で計数された硬貨を排出するための硬貨排出口４０が設けられている。硬貨排出口４０はパッキングエリア２２に向けて開口している。
【００１８】
硬貨排出口４０の開口部付近に、硬貨収納袋を保持するためのクランプアーム部４１が設けられている。クランプアーム部４１は、袋保持部を構成している。クランプアーム部４１は、硬貨計数機本体１０の正面側に突き出した棒状形状の第１クランプシャフト４２ａを先端に有する第１クランプアーム４３ａと、硬貨計数機本体１０の正面側に突き出した棒状形状の第２クランプシャフト４２ｂを先端に有する第２クランプアーム４３ｂとを備えている。第１クランプシャフト４２ａ及び第２クランプシャフト４２ｂは保持部材を構成している。第１クランプシャフト４２ａ及び第２クランプシャフト４２ｂは、ステンレス等の導体で形成されている。
【００１９】
硬貨排出口４０の両側に、第１袋センサ４４ａと第２袋センサ４４ｂとが設けられている。第１クランプアーム４３ａ及び第２クランプアーム４３ｂは図示しないモータにより、第１クランプシャフト４２ａが第１袋センサ４４ａと、第２クランプシャフト４２ｂが第２袋センサ４４ｂとそれぞれ接触可能な位置に回動することができる。第１袋センサ４４ａは、第１クランプシャフト４２ａとの接触を導通により検出するセンサである。また、第２袋センサ４４ｂは、第２クランプシャフト４２ｂとの接触を導通により検出するセンサである。
【００２０】
パッキングエリア２２の奥側にパッキングエリア２２の後壁２８を挟んでヒータアーム部５０が設けられている。ヒータアーム部５０は、熱溶着部を構成している。ヒータアーム部５０は、第１ヒータ５２ａを先端に有する第１ヒータアーム５１ａと第２ヒータ５２ｂを先端に有する第２ヒータアーム５１ｂとを有している。第１ヒータアーム５１ａは第１シャフト５３ａにより、第２ヒータアーム５１ｂは第２シャフト５３ｂにより、それぞれパッキングエリア２２の後壁２８に取り付けられている。第１ヒータアーム５１ａは第１シャフト５３ａを、第２ヒータアーム５１ｂは第２シャフト５３ｂをそれぞれ軸として、図示しないモータにより回動する。また、第１ヒータアーム５１ａ及び第２ヒータアーム５１ｂはアーム部を構成している。
【００２１】
第１ヒータ５２ａが硬貨により損傷することを防止するための覆いとして、パッキングエリア２２の下面には第１ヒータドア２３が設けられている。また、第２ヒータ５２ｂが硬貨により損傷することを防止するための覆いとして、パッキングエリア２２の上面には第２ヒータドア２４が設けられている。また、パッキングエリア２２の後壁２８には第１、第２ヒータアーム５１ａ，５１ｂが回動したときに、硬貨収納袋を挟持可能に第１，第２ヒータ５２ａ，５２ｂを通過させるための切欠である第１切欠２５ａと第２切欠２５ｂとが形成されている。
【００２２】
パッキングエリア２２の右下には、硬貨収納袋を押えるためのパック押え部６０が設けられている。
【００２３】
図５及び図６は、第１クランプアーム４３ａ及び第２クランプアーム４３ｂの回動の様子を示す硬貨計数機１００を下方から見た斜視図である。第１，第２クランプアーム４３ａ，４３ｂの回動により、図５に示すように第１，第２クランプシャフト４２ａ，４２ｂが硬貨排出口４０の開口部正面の位置から、図６に示すように硬貨排出口４０の側面の位置まで移動することができる。
【００２４】
図７は、硬貨計数機１００の右側面図である。説明の便宜のため、インクジェットプリンタ３０の記載を省略している。図７では、前扉２１は開いている状態である。パック押え部６０は、硬貨計数機１００の上下方向に延びる垂直板６６を有している。垂直板６６の下部は、硬貨計数機１００の横方向に延びるパック押え板６８が形成されている。また、垂直板６６に支点部６３を支点に回動可能に取り付けられたパック押えアーム６１と、パック押えアーム６１の一端部に前扉２１に接触可能に取り付けられた前側ローラ６２と、垂直板６６に形成され垂直板６６を上下方向へ移動可能に案内するガイド溝６７とが設けられている。また、パッキングエリア２２の端部の底部と、パック押えアーム６１の他端部とは、第１スプリング６４及び第２スプリング６５により接続されている。
【００２５】
図８は、図７に示す前扉２１を閉じたときの硬貨計数機１００を示している。前側ローラ６２は、前扉２１に接触され押されている。
【００２６】
図９は、パック押え部６０が図７に記載の状態にあるときを示す拡大図である。垂直板６６及びパック押え板６８は、Ｌ字型に形成されている。また、パック押え板６８はステンレス等の導体で形成されている。図９に示す前側ローラ６２が前扉２１（図７参照）によって押されていない場合は、第１スプリング６４及び第２スプリング６５によりパック押えアーム６１の他端部が持ち上げられており、前側ローラ６２は前扉２１の側に突出している。また、垂直板６６は上側位置にあって、パック押え板６８とパッキングエリア２２（図２参照）の底部とに隙間が空いている。
【００２７】
図１０はパック押え部６０が図８に記載の状態にあるときを示す拡大図である。前扉２１が閉じられると、前側ローラ６２が前扉２１に押されて硬貨計数機１００（図１参照）の後側に移動する。そのため、支点部６３が下降することにより、垂直板６６がガイド溝６７に沿って下降する。垂直板６６の下降により、パック押え板６８が下側位置に下降し、パッキングエリア２２の端部の底部が接触して隙間が無くなる。また、パッキングエリア２２の底部はステンレス等の導体で形成されており、パック押え板６８とパッキングエリア２２との接触を導通により検知する図示しない押え板接触センサがパック押え部６０に設けられている。
【００２８】
図１１に硬貨収納袋７０の構成を示す。図１１（ａ）は硬貨収納袋７０の正面図、図１１（ｂ）は硬貨収納袋７０の側面図、図１１（ｃ）は硬貨収納袋７０の斜視図である。硬貨収納袋７０は、ポリエチレンテレフタラート等の熱溶着性を有する絶縁体の合成樹脂フィルムをラミネート加工により袋状に形成したものであり、上部に硬貨を投入可能な開口部である収納袋開口部７１を、底部に収納袋底部７２を有する。また、収納袋開口部７１の付近に、第１，第２クランプシャフト４２ａ，４２ｂ（図４参照）を挿入可能に構成された筒状部７３を有している。筒状部７３は、いわゆる袋とじ部の形状を有している。すなわち、両側が開口した筒状形状を有している。筒状部７３は、被保持部を構成している。
【００２９】
次に、実施の形態１における硬貨パック動作を、硬貨パック部２０を示す図１２〜図２５を用いて説明する。
図１２に示すように、硬貨を硬貨収納袋７０に収納する硬貨パック動作開始時には、前扉２１は開かれた状態であり、硬貨排出口４０の開口部正面に第１，第２クランプシャフト４２ａ，４２ｂが位置するように、第１，第２クランプアーム４３ａ，４３ｂは硬貨排出口４０の開口部方向に延びる位置に有る。前扉２１を開いた状態で、作業者が硬貨収納袋７０の筒状部７３を第１，第２クランプシャフト４２ａ，４２ｂへ挿入し、パッキングエリア２２に硬貨収納袋７０を設置する。すなわち、このとき第１，第２クランプシャフト４２ａ，４２ｂは硬貨収納袋７０の保持を開始する保持開始位置にある。また、このとき収納袋底部７２は、パック押え板６８とパッキングエリア２２の底部との隙間に挿入され、インクジェットプリンタ３０の下方に挿入されている。
【００３０】
次に、作業者は入金部１３の蓋を開き計数対象の硬貨を入金部１３へ投入する。投入後、作業者は入金部１３の蓋を閉める。投入された硬貨は、硬貨計数部１４へ収容される。
【００３１】
次に、図１３に示すように、作業者が前扉２１を閉じると前側ローラ６２が前扉２１に押されることでパック押え板６８が下降して（図９参照）、収納袋底部７２から硬貨収納袋７０の長さの約三分の一の位置をパック押え板６８とパッキングエリア２２の底部との間に挟み込んで固定する。これにより、硬貨パック動作中に硬貨収納袋７０がパッキングエリア２２内で振動して硬貨の収納不良が発生する可能性が小さくなる。また、収納袋底部７２から硬貨収納袋７０の長さの約三分の一の位置までをインクジェットプリンタ３０の下部で保持し、さらに硬貨が進入しないようにすることで、後述する硬貨収納袋７０への印字動作を確実に行えるようになる。
【００３２】
次に、操作部１２に設けられた「袋クランプ」ボタンを作業者が押下する。「袋クランプ」ボタンが押下されると制御装置がモータを駆動して、第１，第２クランプアーム４３ａ，４３ｂを、第１クランプシャフト４２ａが第１袋センサ４４ａと、第２クランプシャフト４２ｂが第２袋センサ４４ｂとそれぞれ接触する方向へ回動する。
【００３３】
筒状部７３が第１，第２クランプシャフト４２ａ，４２ｂに挿入されているので、図１５に示す初期状態から、図１６に示すように第１，第２クランプアーム４３ａ，４３ｂが回動すると、収納袋開口部７１が広げられる。そして、硬貨排出口４０の開口部が収納袋開口部７１に覆われる。第１クランプシャフト４２ａが第１袋センサ４４ａと、第２クランプシャフト４２ｂが第２袋センサ４４ｂとそれぞれ接触する位置で、制御装置は第１，第２クランプアーム４３ａ，４３ｂの回動を停止する。これにより、硬貨収納袋７０が硬貨排出口４０に装着される。すなわち、このとき第１，第２クランプアーム４３ａ，４３ｂは装着位置にある。
【００３４】
筒状部７３が第１，第２クランプシャフト４２ａ，４２ｂに挿入されているので、第１，第２クランプアーム４３ａ，４３ｂの回動を停止したときに、第１，第２クランプシャフト４２ａ，４２ｂは第１，第２袋センサ４４ａ，４４ｂに、筒状部７３における硬貨収納袋７０を挟んだ状態で接触する。
【００３５】
次に、第１，第２袋センサ４４ａ，４４ｂは、弱電流を流すことにより第１，第２クランプアーム４３ａ，４３ｂとの間で導通しているか否かを検知する。硬貨収納袋７０は絶縁体で構成されているので、第１，第２袋センサ４４ａ，４４ｂは、第１，第２クランプアーム４３ａ，４３ｂとの間で導通していないと検知する。導通していないと検知した場合は、制御部は筒状部７３が正しく第１，第２クランプアーム４３ａ，４３ｂに挿入されていると判定する。
【００３６】
もし筒状部７３が第１，第２クランプシャフト４２ａ，４２ｂへ正しく挿入されていなければ、第１袋センサ４４ａと第１クランプシャフト４２ａと、第２袋センサ４４ｂと第２クランプシャフト４２ｂとのいずれか一方又は両方の導通を第１，第２袋センサ４４ａ４４ｂが検知する。したがって、制御部は筒状部７３が正しく第１，第２クランプアーム４３ａ，４３ｂに挿入されていないと判定する。
【００３７】
次に、押え板接触センサが、弱電流を流すことによりパック押え板６８とパッキングエリア２２との導通を検知する。硬貨収納袋７０は非導体で構成されているので、図１７に示すようにパック押え板６８とパッキングエリア２２とは導通していないことが押え板接触センサに検知されれば、制御部は硬貨収納袋７０がパッキングエリア２２に正しく設置されていると判定する。
【００３８】
もしパック押え板６８とパッキングエリア２２とは導通していることが押え板接触センサに検知されれば、制御部は硬貨収納袋７０がパッキングエリア２２に正しく設置されていないと判定する。
【００３９】
筒状部７３が正しく第１，第２クランプアーム４３ａ，４３ｂに挿入されており、且つ硬貨収納袋７０がパッキングエリア２２に正しく設置されていると判定された場合は、モニタ１１に硬貨計数準備が完了したことが表示される。次に、作業者が操作部１２に設けられた「スタート」ボタンを押下する。「スタート」ボタンが押下されると、作業者の安全確保のために入金部１３の扉及び前扉２１がロックされる。次に、硬貨計数部１４により、硬貨の計数が行われる。
【００４０】
図１８に示すように、計数後の硬貨１６は、硬貨排出口４０から排出される。硬貨排出口４０の開口部は収納袋開口部７１により覆われているので、排出された硬貨１６は硬貨収納袋７０内に収納される。また、垂直板６６及びパック押え板６８が下降しているので、硬貨収納袋７０内に収納された硬貨１６は、垂直板６６により受け止められる。なお、硬貨計数部１４に入った係数対象とならないものは、リジェクトボックス１５から排出される。
【００４１】
図１９に示すように、硬貨１６の計数及び硬貨収納袋７０への収納終了後、制御部は硬貨計数部１４が計数した硬貨１６の枚数をモニタ１１に表示する。次に、作業者がモニタ１１の表示内容を確認し、操作部１２に設けられた「確定」ボタンを押下すると、図２０に示すように制御部がモータを駆動し、第１，第２クランプアーム４３ａ，４３ｂ及び第１，第２ヒータアーム５１ａ，５１ｂが回動する。
【００４２】
第１ヒータアーム５１ａは第１シャフト５３ａを、第２ヒータアーム５１ｂは第２シャフト５３ｂをそれぞれ軸として、互いに接近する方向、すなわちパッキングエリア２２の方向へ回動する。このとき、第１ヒータ５２ａが第１ヒータドア２３を押し開け、第１切欠２５ａを通り回動する。また、第２ヒータ５２ｂは、第２ヒータドア２４を押し開け、第２切欠２５ｂを通り回動する。
【００４３】
また、このとき第１，第２クランプアーム４３ａ，４３ｂは、第１，第２クランプシャフト４２ａ，４２ｂが初期位置、すなわち保持開始位置である硬貨排出口４０の開口部正面に位置するように回動する。
【００４４】
図２１に示すように、第１ヒータ５２ａと第２ヒータ５２ｂとが硬貨収納袋７０を挟持すると、制御部は第１，第２ヒータアーム５１ａ，５１ｂの回動を停止させる。このとき、第１，第２クランプアーム４３ａ，４３ｂは保持開始位置に回動して停止している。そのため、第１，第２クランプアーム４３ａ，４３ｂにより、収納袋開口部７１がほぼ閉じられ且つ低い位置に有る状態になっている。このときの硬貨収納袋７０の状態は、硬貨計数中に硬貨排出口４０の開口部が収納袋開口部７１に覆われているとき（図１８参照）の硬貨収納袋７０の状態よりも、張力が緩められて弛みが生じている。
【００４５】
次に、制御部は、第１，第２ヒータ５２ａ，５２ｂを加熱する。熱により硬貨収納袋７０の対向するフィルム同士が溶着され、硬貨収納袋７０に封がされる。硬貨計数中に硬貨排出口４０の開口部が収納袋開口部７１に覆われているときよりも、硬貨収納袋７０に弛みが生じている状態で第１，第２ヒータ５２ａ，５２ｂによる熱溶着がされるので、張ったフィルムに熱溶着に熱溶着をするよりも、熱によるフィルムが裂けたり傷ついたりして硬貨収納袋７０が破損する可能性が小さくなる。
【００４６】
次に、図２２に示すように制御部の制御により第１，第２ヒータアーム５１ａ，５１ｂは互いに離間する方向に回動する。第１ヒータ５２ａと第２ヒータ５２ｂとが硬貨収納袋７０を挟持していた箇所は、熱溶着により封部７４が形成されている。
【００４７】
次に、図２３に示すように第１，第２ヒータアーム５１ａ，５１ｂが初期位置まで回動した後に、制御部はインクジェットプリンタ３０を駆動する。インクジェットプリンタ３０の下部に設けられた印字部３１が、硬貨収納袋７０に硬貨１６の金額及び計数時の日時等に関する情報を印字する。
【００４８】
次に、印字の完了後、図２４に示すように制御部は入金部１３及び前扉２１のロックを解除する。次に、作業者が前扉２１を開くと、垂直板６６及びパック押え板６８が上昇し、硬貨収納袋７０の保持がされなくなる。作業者が第１，第２クランプシャフト４２ａ，４２ｂから筒状部７３を引き抜いて、硬貨収納袋７０をパッキングエリア２２から取り出すことで、硬貨の計数と包装が終了する。
【００４９】
図２５に硬貨１６を収容し、第１，第２ヒータ５２ａ，５２ｂ（図２１参照）が挟持することにより封部７４が形成され封がされた硬貨収納袋７０を示す。硬貨収納袋７０には、硬貨１６の金額及び計数時の日時等に関する情報が印字領域７５に印字されている。このため、硬貨収納袋７０を硬貨計数機１００から取り出した後に、別途作業者が手作業で硬貨収納袋７０に硬貨１６の情報を記載する必要が無い。また、従来の硬貨計数機では、収納した硬貨の情報を印字したラベルを貼付することで硬貨収納袋へ硬貨の情報を付与するので、ラベルの剥がれや付け間違い等による記録間違いが発生する可能性があるが、この実施の形態１に係る硬貨計数機１００では収納した硬貨の情報の印字が硬貨収納袋７０に直接されるため、記録間違いの発生を防止することができる。
【００５０】
このように、硬貨１６を入金する入金部１３と、入金部１３から入金された硬貨を計数する硬貨計数部１４と、硬貨計数部１４で計数された硬貨を排出する硬貨排出口４０と、硬貨排出口４０に装着されて硬貨が収納される硬貨収納袋７０を保持するクランプアーム部４１と、硬貨収納袋７０を挟持するとともに熱溶着によって密封するヒータアーム部５０とを備える。また、硬貨収納袋７０は、開口部の縁部に設けられた筒状部７３を有し、クランプアーム部４１は、硬貨収納袋７０を保持するときに筒状部７３を保持する第１、第２クランプシャフト４２ａ，４２ｂを有する。また、第１，第２クランプシャフト４２ａ，４２ｂは、筒状部７３を第１，第２クランプシャフト４２ａ，４２ｂに保持させる保持開始位置と、硬貨収納袋７０を硬貨排出口４０に装着する装着位置とに移動する。これにより、クランプアーム部４１により硬貨収納袋７０が自動で硬貨排出口４０に装着されることで硬貨の計数時と収納時との現金相違の危険性を削減することができ、また硬貨収納袋７０の硬貨排出口４０への装着不良により硬貨１６が硬貨収納袋７０の外部へ落下して発生する現金相違の危険性を削減することができる。
【００５１】
また、ヒータアーム部５０は、回動可能に設けられる一対の第１，第２ヒータアーム５１ａ，５１ｂと、一対の第１，第２ヒータアーム５１ａ，５１ｂのそれぞれに取り付けられるとともに、一対の第１，第２ヒータアーム５１ａ，５１ｂに連動する一対の第１，第２ヒータ５２ａ，５２ｂとを備える。また、一対の第１，第２ヒータアーム５１ａ，５１ｂが回動し、一対の第１，第２ヒータ５２ａ，５２ｂが硬貨収納袋７０を挟持して熱溶着するときに、第１，第２クランプシャフト４２ａ，４２ｂは保持開始位置にある。これにより、硬貨収納袋７０を熱溶着するときに硬貨収納袋７０に弛みが生じているために硬貨収納袋７０が破損する危険性が小さくなる。
【００５２】
また、被保持部は、開口部の縁部に設けられた筒状部７３であり、保持部材は、硬貨収納袋７０を保持するときに筒状部７３に挿入される第１，第２クランプシャフト４２ａ，４２ｂであるので、硬貨収納袋７０をクランプアーム部４１に取り付ける作業が簡単になる。
【００５３】
また、硬貨収納袋７０に印字するインクジェットプリンタ３０を備えるので、硬貨収納袋７０へ収納された硬貨１６の情報の記録間違いの発生を防止することができる。
【００５４】
また、硬貨計数機１００に入金された硬貨１６を計数し、計数された硬貨１６を、熱溶着性を有する樹脂材料で形成される硬貨収納袋７０に収納し、硬貨収納袋７０に計数された硬貨１６を収納し、硬貨収納袋７０に印加されている張力を緩めるとともに硬貨収納袋７０を熱溶着によって密閉する。これにより、硬貨収納袋７０の硬貨排出口４０への装着不良の発生の危険性が小さくなり、硬貨収納袋７０を熱溶着するときに硬貨収納袋７０に弛みが生じているために硬貨収納袋７０が破損する危険性が小さくなる。
【００５５】
実施の形態２．
次に、この発明の実施の形態２に係る硬貨計数機を説明する。尚、実施の形態２において、図１〜図２５の参照符号と同一の符号は、同一または同様な構成要素であるので、その詳細な説明は省略する。
図２６に、実施の形態２に係る硬貨計数機１０１の全体図を示す。この硬貨計数機１０１は、硬貨収納袋へ硬貨金額及び計数時の日時等に関する情報を印字するためにラベルプリンタ９０を有している。
【００５６】
ラベルプリンタ９０は、ラベル印字部９１と、ラベルロール紙９２と、ローラ９３と、テープ台９５とを有している。ラベル印字部９１は、熱転写プリンタである。ラベルロール紙９２は、ラベルを構成しており、ラベル印字部９１で印字される印字面と、硬貨収納袋に貼り付けられる貼付面と、貼付面を保護する剥離紙９４（図３４参照）とを有している。その他の構成は実施の形態１と同じである。
【００５７】
次に、実施の形態２に係る硬貨計数機１０１の動作を、硬貨パック部２０を示す図２７〜図３７を用いて説明する。なお、実施の形態１と同じ動作については、説明を省略する。
図２７に示すように、硬貨計数機１０１の初期状態において、前扉２１を開いた状態で作業者が硬貨収納袋７０の筒状部７３を、保持開始位置にある第１，第２クランプシャフト４２ａ，４２ｂへ挿入し、パッキングエリア２２に硬貨収納袋７０を設置する。このとき、収納袋底部７２は、ラベル印字部９１の近傍に収納されている。また、収納袋底部７２の上方である収納袋下方部７６が、テープ台９５に載せられている。
【００５８】
次に、作業者は入金部１３の蓋を開き計数対象の硬貨を入金部１３へ投入する。投入後、作業者は入金部１３の蓋を閉める。投入された硬貨は、硬貨計数部１４へ収容される。
【００５９】
次に、作業者が前扉２１を閉じ、操作部１２に設けられた「袋クランプ」ボタンを押下する。図２８に示すように、制御部の制御により、第１，第２クランプアーム４３ａ，４３ｂが回動し、硬貨排出口４０の開口部が収納袋開口部７１に覆われるように第１，第２クランプアーム４３ａ，４３ｂが収納袋開口部７１を開く。次に、図２９に示すように第１，第２クランプシャフト４２ａ，４２ｂが装着位置まで回動して停止し、第１，第２袋センサ４４ａ，４４ｂが硬貨収納袋７０を検出する。
【００６０】
次に、図３０に示すように、計数後の硬貨１６が硬貨排出口４０から排出される。硬貨排出口４０の開口部は収納袋開口部７１により覆われているので、排出された硬貨１６は硬貨収納袋７０内に収納される。硬貨収納袋７０内に収納された硬貨１６は、テープ台９５に受け止められる。
【００６１】
次に、図３１に示すように、硬貨１６の計数及び硬貨収納袋７０への収納終了後、制御部は硬貨計数部１４が計数した硬貨１６の枚数をモニタ１１に表示する。次に、作業者がモニタ１１の表示内容を確認し、操作部１２に設けられた「確定」ボタンを押下すると、図３２に示すように制御部がモータを駆動し、第１，第２クランプアーム４３ａ，４３ｂ及び第１，第２ヒータアーム５１ａ，５１ｂが回動する。このとき第１，第２クランプアーム４３ａ，４３ｂは、第１，第２クランプシャフト４２ａ，４２ｂが初期位置、すなわち装着位置である硬貨排出口４０の開口部正面に位置するように回動し、硬貨収納袋７０の張力を緩めて弛みを生じさせる。
【００６２】
次に、図３３に示すように、制御部は、第１，第２ヒータ５２ａ，５２ｂを加熱する。熱により硬貨収納袋７０の対向するフィルム同士が溶着され、硬貨収納袋７０に封がされる。
【００６３】
次に、図３４に示すように制御部の制御により第１，第２ヒータアーム５１ａ，５１ｂは互いに離間する方向に回動する。同時に、制御部はラベル印字部９１を駆動し、硬貨金額及び計数時の日時等に関する情報がラベルロール紙９２に印字される。また、ラベル印字部９１は、ラベルロール紙９２の剥離紙９４を剥離させ貼付面を露出させる。
【００６４】
次に、図３５に示すように制御部はローラ９３を下降させ、印字したラベルロール紙９２をさらに送り出す。ラベルロール紙９２の貼付面がローラ９３によりテープ台９５上で硬貨収納袋７０に押圧される。これにより、図３６に示すように印字したラベルロール紙９２が硬貨収納袋７０に貼付される。
【００６５】
次に、図３７に示すようにローラ９３を上昇させ、ラベル印字部９１の動作を停止させる。制御部は入金部１３及び前扉２１のロックを解除する。次に、作業者が前扉２１を開くと、作業者が第１，第２クランプシャフト４２ａ，４２ｂから筒状部７３を引き抜いて、硬貨収納袋７０をパッキングエリア２２から取り出すことで、硬貨の計数と包装が終了する。
【００６６】
このように、ラベルロール紙９２に印字し硬貨収納袋７０に貼付するラベルプリンタ９０を備えるので、直接表面に印字されることに適さない素材で形成された硬貨収納袋７０であっても、計数された硬貨１６の情報を硬貨収納袋７０に付与することができる。
【００６７】
なお、この発明の実施の形態１及び２では硬貨収納袋７０を用いていたが、図３８（ａ）の正面図、図３８（ｂ）の側面図、図３８（ｃ）の斜視図に示すような、把持部７７を有する硬貨収納袋７８を用いてもよい。把持部７７を有することにより、硬貨収納袋７８の持ち運びを容易にすることができる。
【００６８】
また、この発明の実施の形態１では硬貨収納袋７０を用いていたが、図３９（ａ）の正面図、図３９（ｂ）の側面図に示すような、中間封部８０を有する硬貨収納袋７９を用いてもよい。この硬貨収納袋７９は、硬貨を収納する袋部分の、その長手方向において収納袋開口部７１の側から４分の３の位置に、ラミネート加工により封をした中間封部８０を有している。また、硬貨収納袋７９は、その中間封部８０より上側の部分である収納部８１と、中間封部８０より下側の部分である不収納部８２とを有している。収納部８１は、収納袋開口部７１に通じており、硬貨の収納が可能な部分である。不収納部８２は、中間封部８０により封がされているので、硬貨が収納されない。なお、硬貨収納袋７９の長手方向における中間封部８０の位置は一例であり、適当に変更してもよい。
【００６９】
硬貨収納袋７９を用いる場合の効果について、以下に説明する。実施の形態１の図２４に示すように、硬貨収納袋７０への硬貨１６の収納が完了したら、作業者は目視で印字領域７５の印字状態を確認する。このとき、印字かすれ等が発生して印字状態が悪い場合には、印字領域７５への再印字を行う。再印刷のときには、図３に示すようにインクジェットプリンタ３０を前扉２１側に引き出した状態で、印字部３１（図２３参照）に印字領域７５が対向するように硬貨収納袋７０をインクジェットプリンタ３０の部分に挿入する。そして、操作部１２に設けられた「プリント」ボタンを作業者が押下することにより印字領域７５への再印字が行われる。
【００７０】
硬貨収納袋７０を用いる場合には、図２５に示すように収納袋底部７２の直上に硬貨１６が収納される。この状態では印字領域７５の部分に硬貨１６があり厚みが生じているので、印字部３１が印字領域７５に対向するように硬貨収納袋７０をインクジェットプリンタ３０の部分に挿入できない。そのため、再印字を行う場合には硬貨収納袋７０を一度上下逆にする等して硬貨１６を移動し、印字領域７５の部分に硬貨１６が無いようにする必要がある。
【００７１】
一方、硬貨収納袋７９を用いる場合には、中間封部８０により封がされているので収納部８１と不収納部８２とが通じていない。そのため、図４０に示すように硬貨収納袋７９に硬貨１６を収納しても、不収納部８２には硬貨１６が収納されず薄い状態である。したがって、不収納部８２に印字領域７５を設定することで、作業者が再印字を行う場合に硬貨１６を移動する作業をしなくとも、印字領域７５が対向するように硬貨収納袋７０をインクジェットプリンタ３０の部分に簡単に挿入することができる。
【００７２】
なお、上記説明は実施の形態１の、インクジェットプリンタ３により印字領域７５に印字する場合であるが、実施の形態２の、ラベルプリンタ９０によりラベルロール紙９２に印字する場合においても、硬貨収納袋７９を用いることができる。硬貨収納袋７９の不収納部８２をラベルロール紙９２の貼付領域とすれば、不収納部８２には硬貨１６が収納されず薄い状態であるため、作業者がラベルロール紙９２の再貼付を容易にすることができる。
【００７３】
また、把持部７７を有する硬貨収納袋７８（図３８参照）に、硬貨収納袋７９と同じようにラミネート加工により中間封部８０を設けてもよい。
【００７４】
また、硬貨収納袋７０，７８は、熱溶着性を有する材料で形成されていれば他の材料で形成されていてもよいし、他の形状を有していてもよい。
【００７５】
また、この発明の実施の形態１及び２では図１に示す前扉２１を用いていたが、図４１に示すような窓部２６を有する前扉２７を用いてもよい。窓部２６を有することにより、前扉２７を閉じて硬貨パック動作を行っているときに、作業者が動作の状況を目視で確認することができる。
【００７６】
また、第１，第２クランプシャフト４２ａ，４２ｂの形状及び筒状部７３の形状は、第１，第２クランプシャフト４２ａ，４２ｂを筒状部７３に係合させることができる形状であれば他の任意の形状であってもよい。
【００７７】
また、実施の形態１、２に係る硬貨計数機１００、１０１の構成は、使用箇所の位置関係や大きさを変更することにより、他の両替機や簡易な機械に応用して用いることができる。
【符号の説明】
【００７８】
１３  入金部、１４  硬貨計数部、１６  硬貨、３０  インクジェットプリンタ、４０  硬貨排出口、４１  クランプアーム部（袋保持部）、４２ａ  第１クランプシャフト（保持部材）、４２ｂ  第２クランプシャフト（保持部材）、５０  熱溶着部、５１  ヒータアーム（アーム部）、５２  ヒータ、７０，７８，７９  硬貨収納袋、７１  収納袋開口部、７３  筒状部、９０  ラベルプリンタ、９２  ラベルロール紙（ラベル）。
【図１】
2019159640.tif 000003
【図２】
2019159640.tif 000004
【図３】
2019159640.tif 000005
【図４】
2019159640.tif 000006
【図５】
2019159640.tif 000007
【図６】
2019159640.tif 000008
【図７】
2019159640.tif 000009
【図８】
2019159640.tif 000010
【図９】
2019159640.tif 000011
【図１０】
2019159640.tif 000012
【図１１】
2019159640.tif 000013
【図１２】
2019159640.tif 000014
【図１３】
2019159640.tif 000015
【図１４】
2019159640.tif 000016
【図１５】
2019159640.tif 000017
【図１６】
2019159640.tif 000018
【図１７】
2019159640.tif 000019
【図１８】
2019159640.tif 000020
【図１９】
2019159640.tif 000021
【図２０】
2019159640.tif 000022
【図２１】
2019159640.tif 000023
【図２２】
2019159640.tif 000024
【図２３】
2019159640.tif 000025
【図２４】
2019159640.tif 000026
【図２５】
2019159640.tif 000027
【図２６】
2019159640.tif 000028
【図２７】
2019159640.tif 000029
【図２８】
2019159640.tif 000030
【図２９】
2019159640.tif 000031
【図３０】
2019159640.tif 000032
【図３１】
2019159640.tif 000033
【図３２】
2019159640.tif 000034
【図３３】
2019159640.tif 000035
【図３４】
2019159640.tif 000036
【図３５】
2019159640.tif 000037
【図３６】
2019159640.tif 000038
【図３７】
2019159640.tif 000039
【図３８】
2019159640.tif 000040
【図３９】
2019159640.tif 000041
【図４０】
2019159640.tif 000042
【図４１】
2019159640.tif 000043